(57)【要約】【課題】従来の前面フレーム開閉式ポスターパネルは、主に樹脂製のコーナー部材とアルミ製のベースフレーム、前面フレーム、ステンレス製の板バネ、及び樹脂製の透明板と木質又はアルミ複合板の背面板からなっており、材料費、組立手間が高コストとなっているばかりでなく、ベースフレームはコーナー部材と背面板にリベット等で固着されてパネルの体をなすという構成であるため、ユーザーが廃棄処分する際、分解、分別にも相応のコストが必要となる。【解決手段】本発明のポスターパネルは、前面開閉式でありながら、板バネを一体的に備えた樹脂製コーナー部材とアルミ製一体型のフレームと樹脂製透明板、及び古紙製の背面板からなり、コーナー部材とフレーム及び背面板とはいずれも固着せずに完成し、工具不要で組立、解体ができる構成とする。【選択図】図５
2017049561.tif 000002
【特許請求の範囲】
【請求項１】
四辺のフレームと該フレームの継手である四隅のコーナー部材と背面板及び透明板からなる額縁状であって、フレームが各々外向きに回動して開き、前面から表示物の脱着ができるポスターパネルに於いて、フレームが、パネル収納部及びコーナー部材の嵌合部に回動自在に嵌合する内面正円Ｃ字形断面の嵌入口を備え、且つ該嵌入口内面の長手方向に２条のＶ溝を設けた一体型であり、また、コーナー部材が、概ね立方体の基部と、コの字型に延設成型されたパネル受部と、該基部より補強連結板を介して互いに直角をなして２方向に延接された円柱型の嵌合部にバネ状の回動係止片が形成された一体型であることを特徴とするポスターパネル
【請求項２】
コーナー部材の嵌合部が挿入される各フレーム両端の嵌入口に、摺動防止片が一体的に形成されたことを特徴とする請求項１のポスターパネル
【請求項３】
フレームの継手であるコーナー部材の嵌合部が、該フレームの回動軸であることを特徴とする請求項１のポスターパネル
【請求項４】
コーナー部材の嵌合部付根に、フレームの摺動防止片を収容する摺動防止溝を設けると共に、該コーナー部材の嵌合部背面側の長手方向全幅に、フレームの摺動防止片の挿通溝を形成したことを特徴とする請求項１のポスターパネル
【発明の詳細な説明】
【技術分野】
【０００１】  本発明は、ポスター等の表示物を掲示するためのポスターパネルに関し、特に４辺の前面フレームが自在に開閉可能な構造により、簡単に表示物を交換できるポスターパネルに関するものである。
【背景技術】
【０００２】  近年、エコ志向の高まりと伴に、表示物を下地板に貼り付けた後、アルミチャンネル等で四方を囲った使い捨て型のポスターパネルに代って、表示物を透明板と背面板とで挟んでフレームに収め、必要に応じて工具を使わず、自在に表示物の交換ができるポスターパネルが用いられるようになった。【０００３】  表示物の交換が可能なポスターパネルの多くは、背面板の四辺に固着されたベースフレームに回動自在に摺着された前面フレームが、両フレーム間に嵌着された板バネの弾性により、透明板及び表示物を前面から押圧する前面フレーム開閉式のポスターパネルであり、主に商業施設や公共施設で広く利用されている。
【先行技術文献】
【０００４】  これらの例としては、特開２００５−３４５８００号「表示パネル」や実録第３０７７８７３号「前面解放式額縁」が挙げられる。
【特許文献】
【０００５】
【特許文献１】特開２００５−３４５８００号
【特許文献２】実用新案登録第３０７７８７３号
【発明の概要】
【発明が解決しようとする課題】
【０００６】  これらの先行技術に於いては、いずれも木質又はアルミ複合板等の背面板、樹脂製の透明板の他、樹脂製又は金属製のコーナー部材と、互いに回動自在に摺着されたアルミ製のベースフレームと前面フレーム、及び両フレーム間に嵌着されたステンレス製の板バネからなり、また、ベースフレームがコーナー部材及び背面板に、ネジ又はリベットで固着されてパネルの体をなすという構成であるため、大型のポスターでは堅牢性の評価は高いものの、比較的重く、材料費、組立手間が高コストとなっている。さらに、廃棄処分の際には、分解、分別に相応のコストが加算される。
【課題を解決するための手段】
【０００７】  上述の課題を解決するため、本発明のポスターパネル１は、前面開閉式でありながら、板バネの機能を一体的に備えた樹脂成型のコーナー部材２と、単一のアルミ製のフレーム３と、古紙段ボールの背面板４０、及び、樹脂製の透明板４２からなり、コーナー部材２とフレーム３及び背面板４０とはいずれも固着の必要はなく、工具なしで組立、分解ができる構成とした。【０００８】  樹脂成型製のコーナー部材２は、概ね立方体である基部２４に、断面コの字型に形成したパネル受部２５を延設すると共に、補強連結板２６を介して互いに直角をなして２方向の略円柱型の嵌合部２０を突設してなり、且つ該嵌合部２０にはバネ状の回動係止片２１が一体的に備えられている。【０００９】  また、補強連結板２６には、壁面固定や吊下げ等、掲示の際に使用する丸孔２７を穿つと共に、背面側にスリーブ２８を突設形成し、本発明のポスターパネル１が、該丸孔２７及びスリーブ２８を介して壁面に螺着掲示さるとき、スリーブ２８の端部が壁面に当接することにより、フレーム３と壁面との間に隙間を生じさせ、フレーム３の壁面側の陵の部分の回転を可能とする。【００１０】  さらに、該嵌合部２０付根には、フレーム３の摺動防止片３３を収容する摺動防止溝２２を設けると共に、組立、分解に際し、嵌合部２０とフレーム３の抜き差しを可能にするため、嵌合部２０背面側の長手方向全幅に、フレーム３の摺動防止片３３の挿通溝２３を形成する。【００１１】  一方、単一のフレーム３は、先端がパネル保持部３０であるコの字型のパネル収納部３４とコーナー部材２の嵌合部２０に回動自在に嵌合する内面正円Ｃ字形断面の嵌入口３５からなり、該内面長手方向には、フレーム３の開け閉めの際に、コーナー部材２の回動係止片２１が係止される２条のＶ溝ａ３１及びｂ３２を設ける。【００１２】  フレーム３の嵌入口３５の両端には摺動防止片３３を形成し、コーナー部材２の嵌合部２０の付根に設けた摺動防止溝２２に収容して、ポスターパネル１のフレーム３の開け閉めの際に、該フレーム３が嵌合部２０から脱落するのを防止する。【００１３】  ポスターパネル１の組立、解体に際して、各フレーム３は、背面板４０を取り外した状態のときに限り、内向きに大きく回動が可能となるため、摺動防止片３３はコーナー部材２の嵌合部２０の背面側に形成された挿通溝２３を伝って摺動自在となり、組立又は解体することができる。
【発明の効果】
【００１４】  本発明のポスターパネルは、上述のような構成であるため、軽く、組立、分解が極めて容易でありながら、掲示中の表示物交換の際に誤ってフレームが外れ分解してしまう恐れもなく、コーナー部分が樹脂製であり、また部材点数が少ないため、安全で、材料費、組立費が低コストであるばかりでなく、廃棄段階に於いても、ユーザー自身が特別な工具を用いることなく簡単に解体できるため、高い資源回収効率をもたらすという効果を発揮する。
【図面の簡単な説明】
【００１５】
【図１】本発明のポスターパネルの表示物装着時の状態を示す斜視図
【図２】本発明のポスターパネルの表示物脱着時の四方のフレームが開いた状態を示す斜視図
【図３】コーナー部材の（ａ）平面図、（ｂ）側面図、（ｃ）底面図、（ｄ）補強支持片と嵌合部付根の摺動防止溝部分の断面図、及び（ｅ）嵌合部の回動係止片部分の断面図
【図４】フレーム左端の（ａ）拡大正面図及び（ｂ）拡大断面図
【図５】表示物装着時のコーナー部材の嵌合部とフレームの位置関係を示す拡大断面図
【図６】表示物脱着時のコーナー部材の嵌合部とフレームの位置関係を示す拡大断面図
【図７】コーナー部材とフレームの組み外し時に於けるコーナー部材の嵌合部とフレームとの位置関係を示す拡大断面図
【発明を実施するための最良の形態】
【００１６】  本発明の実施に於いて最良の形態は、Ｂ５からＢ１ポスターまでのポスターパネル１であって、コーナー部材２は樹脂射出成型、フレーム３はアルミ押し出し材、背面板４０は５ミリ厚程度の段ボール、透明板４２は０．５ミリ厚程度のアクリル板又はペット板を想定している。
【実施例】
【００１７】  以下、本発明に係るポスターパネル１を図面に示す実施例に基づいて説明する。図１はこの発明に係るポスターパネル１の表示物４１装着済の状態の全体を示す斜視図であり、図２は表示物４１の交換のため、四方のフレーム３を外向きに開き、背面板４０を残し、透明板４２及び表示物４１を外した状態を示す斜視図である。【００１８】  図１の状態のポスターパネル１では、図５の拡大断面図に示すようにコーナー部材嵌合部２０の回動係止片２１がフレームのＶ溝ａ３１に収まることにより、フレーム３のパネル保持部３０が背面板４０と透明板４２に挟まれた表示物４１を押圧している。この状態では、フレーム３の摺動防止片３３がコーナー部材嵌合部２０付根の摺動防止溝２２に収まり、フレーム３がコーナー部材２の嵌合部２０から摺動して抜け落ちることはない。【００１９】  図２の状態のポスターパネル１は、四辺のフレーム３が回動して、図６の断面図に示すようにコーナー部材嵌合部２０の回動係止片２１がフレーム３のＶ溝ｂ３２に収まることにより、フレーム３のパネル保持部３０が持ち上がり、透明板４２及び表示物４１の脱着が可能な状態となり、背面板４０の脱着もこの状態に於いて行うことができる。また、この時も図５の状態と同様、フレーム３はコーナー部材２の嵌合部２０から抜けることはなく、背面板４０、表示物４１、透明板４２は、四隅をコーナー部材２のパネル受部２５に保持されて自重で外れ落ちることはない。【００２０】  図７は本発明のポスターパネル１のコーナー部材２とフレーム３の、組み外し時に於ける位置関係を示す断面図であるが、透明板４２、表示物４１及び背面板４０を取り外した状態の時に限り、フレーム３の摺動防止片３３は、コーナー部材嵌合部２０の摺動防止溝２２から、該嵌合部２０背面側長手に形成された挿通溝２３の位置まで回動が可能となり、フレーム３は嵌合部２０から引き抜くことができる。
【産業上の利用可能性】
【００２１】  本発明のポスターパネルは以上のような構成であるので、安全で、部品点数が少ない上、組立、分解に工具を必要としないため、材料費、製作費、組立費等の製造コストを低く抑えた製品を提供することができる。さらに近年、家庭に於けるパソコン、プリンターの普及により、比較的大きな写真等の印刷が容易になったため、商業施設や公共施設ばかりでなく、個人の自作表示物の額縁として、需要の一層の広がりが見込まれる。【００２２】  また、不要となり廃棄しようとする時、ユーザー自身の手による、樹脂、アルミ材、古紙に分解、分別が極めて容易なことから、エコ志向の時代の要請に合致し、資源回収に寄与することで、大きな支持を得られるものと確信する。
【符号の説明】
【００２３】  １  ポスターパネル
２  コーナー部材
３  フレーム
２０  嵌合部
２１  回動係止片
２２  摺動防止溝
２３  挿通溝
２４  基部
２５  パネル受部
２６  補強連結板
２７  丸孔
２８  スリーブ
３０  パネル保持部
３１  Ｖ溝ａ
３２  Ｖ溝ｂ
３３  摺動防止片
３４  パネル収納部
３５  嵌入口
４０  背面板
４１  表示物
４２  透明板
【図１】
2017049561.tif 000003
【図２】
2017049561.tif 000004
【図３】
2017049561.tif 000005
【図４】
2017049561.tif 000006
【図５】
2017049561.tif 000007
【図６】
2017049561.tif 000008
【図７】
2017049561.tif 000009